(57)【要約】      （修正有）【課題】表裏両面に実物を模した装飾加工が施され、商品価値が高く安価で成形が容易な平板状食品サンプルとその成形型及び平板状食品サンプルを使用したアクセサリーを提供する。【解決手段】平板状食品サンプル１は、表裏両面３、５に実物を模した装飾加工が施された平板状食品サンプルであって、少なくとも表裏両面３、５に実物を模した凹凸加工９が施され、実物の基本色を再現する第１彩色１１が施された、一体成形品のサンプル本体部１３と、サンプル本体部１３の一部を切除することによって形成される凹陥部１５に充填され、上記基本色とは異なる第２彩色１７が施されたサンプル加飾部１９と、を具備することによって構成されている。【選択図】図１
0003187028.tif 000002
【実用新案登録請求の範囲】
【請求項１】
表裏両面に実物を模した装飾加工が施された平板状食品サンプルにおいて、
少なくとも表裏両面に実物を模した凹凸加工が施され、実物の基本色を再現する第１彩色が施された、一体成形品のサンプル本体部と、
上記サンプル本体部の一部を切除することによって形成される凹陥部に充填され、上記基本色とは異なる第２彩色が施されたサンプル加飾部と、を具備していることを特徴とする平板状食品サンプル。
【請求項２】
上記平板状食品サンプルは、スライスしたレモンを模した平板状食品サンプルであり、上記サンプル本体部は果肉を中心としたレモンの基本形状、上記サンプル加飾部は果皮の内側部分、果肉をほろごとに仕切る隔壁及び果皮の外側部分であることを特徴とする請求項１記載の平板状食品サンプル。
【請求項３】
上記第１彩色とは異なる単一色または複数色の第３彩色を上記サンプル本体部とサンプル加飾部のいずれか一方または双方に施すことによって形成されるサンプル補飾部を備えていることを特徴とする請求項１記載の平板状食品サンプル。
【請求項４】
上記平板状食品サンプルは、スライスしたレモンを模した平板状食品サンプルであり、上記サンプル本体部は果肉を中心としたレモンの基本形状、上記サンプル加飾部は果皮の内側部分、上記サンプル補飾部は果肉をほろごとに仕切る隔壁及び果皮の外側部分であることを特徴とする請求項３記載の平板状食品サンプル。
【請求項５】
表裏両面に実物を模した装飾加工が施された平板状食品サンプルと、
上記平板状食品サンプルに取り付けられる取付け金具と、
上記取付け金具を介して上記平板状食品サンプルに取り付けられる携行用のストラップまたは装身用の金具類と、を備える平板状食品サンプルを使用したアクセサリーにおいて、
上記平板状食品サンプルは、請求項１〜４のいずれかに記載の平板状食品サンプルであることを特徴とする平板状食品サンプルを使用したアクセサリー。
【請求項６】
表裏両面に実物を模した装飾加工が施された平板状食品サンプルを成形するのに使用される成形型において、
上記成形型には、実物の基本色を再現する第１彩色が施された原料を注入して平板状食品サンプルの表裏両面の凹凸と平板状食品サンプルの基本形状を一挙に成形してサンプル本体部を得る成形凹部が原料の注ぎ口を上にして立てた状態で設けられており、
上記成形凹部の一部には、成形されたサンプル本体部の一部に上記基本色とは異なる第２彩色が施されたサンプル加飾部を爾後に形成するための凹陥部形成用の凸部が設けられていることを特徴とする平板状食品サンプルの成形型。
【請求項７】
上記成形型は、成形されたサンプル本体部の離型時に外部からの力を受けて自由に変形し、当該外部からの力が取り除かれた後は元の形状に復帰する弾性力を備えている軟質の成形型であることを特徴とする請求項６記載の平板状食品サンプルの成形型。
【考案の詳細な説明】
【技術分野】
【０００１】
本考案は、スライスしたフルーツ等を模した平板状食品サンプル及び該平板状食品サンプルを使用したアクセサリー及び該平板状食品サンプルを製造する場合に使用される成形型に関するものであって、特に表裏両面に実物を模した装飾加工を施した商品価値が高く安価な平板状食品サンプル、平板状食品サンプルを使用したアクセサリー及び平板状食品サンプルの成形型に係る。
【背景技術】
【０００２】
従来からスライスした食パンやレモン等を模した平板状食品サンプルが種々考案され、製造されている。これらの多くはショーケース等に展示されて使用されることから、人の目に触れる一面のみに実物を模した形状、彩色等の装飾加工が施されている。
下記の特許文献１では、その一例として一面のみに装飾加工が施されたスライスした食パン等を製造するのに使用できるサンプル品の製造方法が開示されている。
【０００３】
また、下記の特許文献２に示すように、上記と同様の製造方法で製造された二枚の中間成形体を背中合わせに貼り合わせることで表裏両面に装飾加工が施された平板状食品サンプルを製造するようにした提案もなされている。
一方、より立体的で複雑かつ大量に生産される食品サンプルについては、高価な金型等を製作して射出成形等によって基本となる形状を成形し、その後、その表面に着色等を施して食品サンプル等を製造することも可能である。
【先行技術文献】
【特許文献】
【０００４】
【特許文献１】特開２００７−５２０８５号公報
【特許文献２】特開２０１２−１３３１３０号公報
【考案の概要】
【考案が解決しようとする課題】
【０００５】
しかしながら、特許文献１のサンプル品の製造方法によって製造される平板状食品サンプルは、表裏両面が見える状態で展示される場合や手に取って使用される平板状食品サンプルとしては、その装飾表現が不十分であり、商品価値が低くて使用することはできない。
また、特許文献２の擬似見本の製造方法によって製造される平板状食品サンプルの場合には、表裏両面に装飾加工が施されて商品価値が高くなるが、二枚の中間成形体を貼り合わせる接着工程が別途、必要になって製造コストが高くなり、二枚の中間成形体の接着不良や接着位置のずれ等に起因する不良品が発生するおそれがある。
【０００６】
また、金型を使用した場合には、上述のように複雑な形状の食品サンプルを製造することも可能であるが、スライスしたレモンのように比較的簡単な形状の平板状食品サンプルや生産個数がそれほど多くない平板状食品サンプルを製作する場合には、金型の製作コストに見合うような製品コストをその商品に設定することは事実上不可能であり、現実的でない。
本考案はこのような点に基づいてなされたものでその目的とするところは、表裏両面に装飾加工が施され、商品価値が高く安価で成形が安易な平板状食品サンプル、該平板状食品サンプルを使用したアクセサリー及び該平板状食品サンプルを成形するのに使用される簡易な構造の成形型を提供することにある。
【課題を解決するための手段】
【０００７】
上記目的を達成するべく本考案の請求項１による平板状食品サンプルは、表裏両面に実物を模した装飾加工が施された平板状食品サンプルにおいて、少なくとも表裏両面に実物を模した凹凸加工が施され、実物の基本色を再現する第１彩色が施された、一体成形品のサンプル本体部と、上記サンプル本体部の一部を切除することによって形成される凹陥部に充填され、上記基本色とは異なる第２彩色が施されたサンプル加飾部と、を具備していることを特徴とするものである。
【０００８】
また、請求項２による平板状食品サンプルは、請求項１記載の平板状食品サンプルにおいて、上記平板状食品サンプルは、スライスしたレモンを模した平板状食品サンプルであり、上記サンプル本体部は果肉を中心としたレモンの基本形状、上記サンプル加飾部は果皮の内側部分、果肉をほろごとに仕切る隔壁及び果皮の外側部分であることを特徴とするものである。
【０００９】
また、請求項３による平板状食品サンプルは、請求項１記載の平板状食品サンプルにおいて、上記第１彩色とは異なる単一色または複数色の第３彩色を上記サンプル本体部とサンプル加飾部のいずれか一方または双方に施すことによって形成されるサンプル補飾部を備えていることを特徴とするものである。
【００１０】
また、請求項４による平板状食品サンプルは、請求項３記載の平板状食品サンプルにおいて、上記平板状食品サンプルは、スライスしたレモンを模した平板状食品サンプルであり、上記サンプル本体部は果肉を中心としたレモンの基本形状、上記サンプル加飾部は果皮の内側部分、上記サンプル補飾部は果肉をほろごとに仕切る隔壁及び果皮の外側部分であることを特徴とするものである。
【００１１】
また、本考案の請求項５による平板状食品サンプルを使用したアクセサリーは、表裏両面に実物を模した装飾加工が施された平板状食品サンプルと、上記平板状食品サンプルに取り付けられる取付け金具と、上記取付け金具を介して上記平板状食品サンプルに取り付けられる携行用のストラップまたは装身用の金具類と、を備える平板状食品サンプルを使用したアクセサリーにおいて、上記平板状食品サンプルは、請求項１〜４のいずれかに記載の平板状食品サンプルであることを特徴とするものである。
【００１２】
また、本考案の請求項６による平板状食品サンプルの成形型は、表裏両面に実物を模した装飾加工が施された平板状食品サンプルを成形するのに使用される成形型において、上記成形型には、実物の基本色を再現する第１彩色が施された原料を注入して平板状食品サンプルの表裏両面の凹凸と平板状食品サンプルの基本形状を一挙に成形してサンプル本体部を得る成形凹部が原料の注ぎ口を上にして立てた状態で設けられており、上記成形凹部の一部には、成形されたサンプル本体部の一部に上記基本色とは異なる第２彩色が施されたサンプル加飾部を爾後に形成するための凹陥部形成用の凸部が設けられていることを特徴とするものである。
【００１３】
また、請求項７による平板状食品サンプルの成形型は、請求項６記載の平板状食品サンプルの成形型において、上記成形型は、成形されたサンプル本体部の離型時に外部からの力を受けて自由に変形し、当該外部からの力が取り除かれた後は元の形状に復帰する弾性力を備えている軟質の成形型であることを特徴とするものである。
【考案の効果】
【００１４】
そして、上記手段によって以下のような効果が得られる。まず、本考案の平板状食品サンプルによると、表裏両面に実物を模した装飾加工が施されているから表裏両面が見える状態で展示される場合や手に取って使用される場合にも適用でき、商品価値が向上する。  また、本考案の平板状食品サンプルは一体成形品であるから表裏両面が一挙に成形される。したがって、従来の平板状食品サンプルの製造方法で見られた接着工程が不要であり、工数の削減によって製品コストを低く抑えて接着不良や接着位置のずれ等に起因する不良品の発生を防止することができる。
【００１５】
また、第１彩色が施されたサンプル本体部と、該サンプル本体部に形成した凹陥部に充填される第２彩色が施されたサンプル加飾部と、を組み合わせることによって平板状食品サンプルを構成したから、第２彩色部分を不自然に突出させることなく第１彩色部分に馴染んだ自然な形で形成できるようになって商品価値が向上する。
また、サンプル加飾部は凹陥部の深さ分、厚めに形成できるから下層に位置するサンプル本体部の第１彩色部分が外部から透けて見えないようにする作用も得られる。
また、果肉を中心としたレモンの基本形状をサンプル本体部で形作り、果皮の内側部分、果肉をほろごとに仕切る隔壁及び果皮の外側部分をサンプル加飾部によって形作った場合には、スライスしたレモンを忠実に再現した商品価値の高い平板状食品サンプルを得ることが可能になる。
【００１６】
また、上記第１彩色とは異なる単一色または複数色の第３彩色を上記サンプル本体部とサンプル加飾部のいずれか一方または双方に施すことによって形成されるサンプル補飾部を備えた場合には、上記サンプル本体部とサンプル加飾部のみでは実現できなかった装飾表現を付与できるようになり、商品価値が更に向上する。
また、果肉を中心としたレモンの基本形状をサンプル本体部で形作り、果皮の内側部分をサンプル加飾部によって形作り、果肉をほろごとに仕切る隔壁及び果皮の外側部分をサンプル補飾部によって形作った場合には、スライスしたレモンを忠実に再現したより商品価値の高い平板状食品サンプルを得ることが可能になる。
【００１７】
また、本考案の平板状食品サンプルを使用したアクセサリーは、上記平板状食品サンプルに取付け金具を取り付け、更に該取付け金具を介して携行用のストラップまたは装身用の金具類を取り付けてアクセサリーを構成しているから、実物を忠実に再現した平板状食品サンプルをモチーフにした安価なペンダントやストラップ等の携行品やイヤリング、ブローチ、ネックレス等の装身具として提供することが可能になる。
【００１８】
また、本考案の平板状食品サンプルを成形する成形型は、平板状食品サンプルの表裏両面の凹凸と平板状食品サンプルの基本形状を一挙に成形してサンプル本体部を得る成形凹部を備えているから、従来の平板状食品サンプルの製造方法で採られていた接着工程が不要となり、工数の削減によって製品コストを低く抑えて接着不良や接着位置のずれ等に起因する不良品の発生を防止することが可能になる。
【００１９】
また、上記成形凹部が原料の注ぎ口を上にして立てた状態で設けられているから、原料の注入が容易になり、上記注ぎ口に原料を導く流路を別途形成することが不要になる。
また、上記成形凹部の一部に爾後にサンプル加飾部を形成するための凹陥部形成用の凸部が設けられているから、該凸部によって形成された凹陥部を利用して肉厚のサンプル加飾部を不自然に突出させることなく自然な外観でサンプル加飾部を形成することが可能になる。
【００２０】
また、成形されたサンプル本体部の離型時に外部からの力を受けて自由に変形し、当該外部からの力が取り除かれた後は元の形状に復帰する弾性力を備えている軟質の成形型を採用した場合には、単一の成形型を使用して繰り返し平板状食品サンプルを成形できるようになり、高品質の平板状食品サンプルを容易に設備コストをかけることなく安価に提供できるようになる。
【００２１】
以上、詳述したように本考案の平板状食品サンプル、平板状食品サンプルを使用したアクセサリー及び平板状食品サンプルの成形型によると、表裏両面に装飾加工が施された商品価値が高く安価で成形が容易な平板状食品サンプルを提供することが可能になり、携行品や装身具への応用も可能になる。また、成形型の構造が簡単になるから成形コストを低く抑えることも可能になる。
【図面の簡単な説明】
【００２２】
【図１】本考案の実施の形態を示す図で、表面を上にした状態（ａ）と裏面を上にした状態（ｂ）の平板状食品サンプルを示す斜視図である。
【図２】本考案の実施の形態を示す図で、平板状食品サンプルを示す正面図（ａ）と背面図（ｂ）である。
【図３】本考案の実施の形態を示す図で、平板状食品サンプルを示す図２（ａ）中のＡ−Ａ断面図である。
【図４】本考案の実施の形態を示す図で、平板状食品サンプルの使用例を示す斜視図である。
【図５】本考案の実施の形態を示す図で、平板状食品サンプルを使用した二種のアクセサリー（ａ）（ｂ）を示す正面図である。
【図６】本考案の実施の形態を示す図で、成形凹部の注ぎ口を上にした状態（ａ）と下にした状態（ｂ）の平板状食品サンプルの成形型を示す斜視図である。
【図７】本考案の実施の形態を示す図で、平板状食品サンプルの成形型を示す側断面図である。
【図８】本考案の成形型を使用した平板状食品サンプルの製造の流れを模式的に示す説明図である。
【図９】本考案の他の実施の形態を示す図で、サンプル本体部とサンプル加飾部のみから構成される平板状食品サンプルの製造の流れを段階的に示す側断面図である。
【考案を実施するための形態】
【００２３】
以下、図１〜図４に示す実施の形態を例にとって、本考案の平板状食品サンプルの構成について最初に説明し、次いで図５に示す実施の形態を例にとって、本考案の平板状食品サンプルを使用したアクセサリーの構成について説明する。
次に、図６及び図７に示す実施の形態を例にとって、本考案の平板状食品サンプルの成形型の構成について説明し、最後に図８に基づいて該成形型を使用して行う平板状食品サンプルの製造方法を製造の流れにしたがって具体的に説明する。
【００２４】
（１）平板状食品サンプルの構成（図１〜図４参照）
本考案の平板状食品サンプル１は、表面３と裏面５の両面に実物Ａを模した装飾加工７が施されている。具体的には、少なくとも表裏両面３、５に実物Ａを模した凹凸加工９が施され、実物Ａの基本色を再現する第１彩色１１が施された、一体成形品のサンプル本体部１３と、上記サンプル本体部１３の一部を切除することによって形成される凹陥部１５に充填され、上記基本色とは異なる第２彩色１７が施されたサンプル加飾部１９とを備えることによって本考案の平板状食品サンプル１は、基本的に構成されている。
【００２５】
また、本実施の形態にあっては、上記第１彩色１１とは異なる単一色または複数色の第３彩色２１を上記サンプル本体部１３とサンプル加飾部１９のいずれか一方または双方に施すことによって形成されるサンプル補飾部２３を更に備えることによって構成されている。
また、図示の実施の形態では、スライスしたレモンを実物Ａとしてモチーフにした平板状食品サンプル１が図示されており、果肉２５を中心としたレモンの基本形状をサンプル本体部１３によって形作り、果皮の内側部分２７をサンプル加飾部１９によって形作り、果肉２５をほろごとに仕切る隔壁２９及び果皮の外側部分３１をサンプル補飾部２３で、それぞれ形作っている。
【００２６】
また、上記凹凸加工９の一部は、サンプル本体部１３の表面３と裏面５において、果肉２５中の水滴粒形状の「沙じょう」と呼ばれる凹凸を表現している。
また、本実施の形態ではサンプル本体部１３の外周面における果皮の外側部分３１に相当する部分にも凹凸加工９の他の一部が形成されており、この部分に形成される凹凸加工９は、果皮表面のザラザラした凹凸を表現している。
【００２７】
また、サンプル本体部１３に適用される実物Ａの基本色を再現する第１彩色１１としては、レモンの果肉２５を表す薄めの黄色を適用し、該薄い黄色の顔料をポリ塩化ビニル等の熱可塑性樹脂に添加した原料Ｂを使用してサンプル本体部１３が形成されている。
また、サンプル本体部１３の表面３と裏面５の外周部にリング状の凹陥部１５が形成されており、該凹陥部１５にレモンの果皮の内側部分２７の色である第２彩色１７の白色の顔料をポリ塩化ビニル等の熱可塑性樹脂に添加した原料Ｃを充填してサンプル加飾部１９が形成されている。
【００２８】
また、上記第１彩色１１とは異なる第３彩色２１の１色としてレモンの隔壁２９と果肉２５の中心部３３の色である白色の顔料系インク等を使用して、直接、サンプル本体部１３の表面３と裏面５に上記隔壁２９を表す筋状の線を放射状に入れ、その中心に顔料系インク等を塗り足して中心部３３を描いてサンプル補飾部２３の一部を形成している。
また、上記第１彩色１１とは異なる第３彩色２１の他の１色としてレモンの果皮の外側部分３１の色である濃いめの黄色を適用し、サンプル本体部１３とサンプル加飾部１９の外周面に濃い黄色の顔料系インク等を塗って果皮の外側部分３１を表すことでサンプル補飾部２３の他の一部を形成している。
【００２９】
そして、このようにして構成される本考案の平板状食品サンプル１は、表裏両面３、５に実物Ａであるスライスしたレモンを模した装飾加工が施されているから、図４に示すパフェ３５のように表裏両面３、５が見える状態で展示される場合や手に取って使用される場合にも適用でき、商品価値が向上する。
また、本考案の平板状食品サンプル１は、一体成形品であるから表裏両面３、５が一挙に成形され、図３に示すように表裏両面３、５の間に接着層は存在しない。したがって、接着工程がない分、工数が削減され、製品コストを低く抑えて接着不良や接着位置のずれ等に起因する不良品の発生を防止することができる。
【００３０】
（２）平板状食品サンプルを使用したアクセサリーの構成（図５参照）
本考案の平板状食品サンプルを使用したアクセサリー４１は、表裏両面３、５に実物Ａを模した装飾加工が施された平板状食品サンプルと、該平板状食品サンプルに取り付けられる取付け金具４３と、上記取付け金具４３を介して上記平板状食品サンプルに取り付けられる携行用のストラップ４５または装身用の金具類４７と、を備えることによって基本的に構成されており、上記平板状食品サンプルとして上述した図１〜図４に示す本考案の平板状食品サンプル１を使用している。
【００３１】
図５（ａ）は、本考案のアクセサリー４１を携行品の一例として携帯ストラップに適用した実施例であり、平板状食品サンプル１の一部に埋め込んだ軸部と一体のリング状の部材４３ａと、該リング状の部材４３ａに連結される連結具４３ｂと、ストラップ４５の基端部を保持するスリーブ状の部材４３ｃとによって取付け金具４３を構成している。
また、図示の実施例では一例としてループ状の紐体によって携行用のストラップ４５を構成している。
【００３２】
図５（ｂ）は、本考案のアクセサリー４１を装身具の一例としてイヤリングに適した実施例であり、平板状食品サンプル１の一部に埋め込んだリング状の部材４３ａと、該リング状の部材４３ａに連結される連結具４３ｂとによって取付け金具４３を構成し、耳Ｅに吊り下げるための固定部材を装身用の金具類４７として構成されている。
【００３３】
そして、このようにして構成される本考案の平板状食品サンプルを使用したアクセサリー４１によれば、実物Ａであるスライスしたレモンを忠実に再現した平板状食品サンプル１をモチーフにした安価ながら商品価値の高いペンダントやストラップ等の携行品やイヤリング、ブローチ、ネックレス等の装身具として本考案のアクセサリー４１を提供することが可能になる。
【００３４】
（３）平板状食品サンプルの成形型の構成（図６及び図７参照）
本考案の平板状食品サンプルの成形型５１は、表裏両面３、５に実物Ａを模した装飾加工が施された上述した図１〜図４に示す平板状食品サンプル１を成形するのに使用される。
具体的には、実物Ａの基本色を再現する第１彩色１１が施された平板状食品サンプル１の表裏両面３、５の凹凸と平板状食品サンプル１の基本形状を一挙に成形してサンプル本体部１３を得る成形凹部５３を備えることによって成形型５１は構成されている。
【００３５】
また、上記成形凹部５３は、原料Ｂの注ぎ口５５を上にして立てた状態で設けられており、上記成形凹部５３の一部のサンプル本体部１３の果皮の内側部材２７を形成する部位には、上記基本色とは異なる第２彩色１７が施されたサンプル加飾部１９を爾後に形成するための凹陥部１５形成用のリング状の凸部５７が図７に示すように対向するように設けられている。
【００３６】
また、本考案の成形型５１は、成形されたサンプル本体部１３の離型時に外部からの力を受けて自由に変形し、当該外部からの力が取り除かれた後は、元の形状に復帰する弾性力を備えた軟質の成形型によって構成されており、一例として液状のシリコーンＦを原料とし、常温で８時間程度放置して固めることによって成形されるシリコーンゴム製の成形型５１によって構成されている。
【００３７】
そして、このようにして構成される本考案の平板状食品サンプルの成形型５１によれば、表裏両面３、５に実物Ａを模した装飾加工が施された平板状食品サンプル１を一挙に成形でき、接着工程が不要であるから、工数の削減によって製品コストを低く抑えることが可能になり接着不良や接着位置のずれ等に起因する不良品の発生を防止することが可能になる。
また、成形凹部５３が原料Ｂの注ぎ口５５を上にして立てた状態で設けられているから、原料Ｂの注入が容易になり、注ぎ口５５に原料Ｂを導く流路を別途形成することが不要となる。
【００３８】
また、成形凹部５３の一部に爾後にサンプル加飾部１９を形成するための凹陥部１５形成用の凸部５７が設けられているから、該凸部５７によって形成された凹陥部１５を利用して肉厚のサンプル加飾部１９を不自然に突出させることなく自然な外観でサンプル加飾部１９を形成することが可能になる。
また、弾性力を備えた軟質の成形型５１とすることによって、単一の成形型５１を使用して繰り返し平板状食品サンプル１を成形できるようになり、高品質の平板状食品サンプル１を容易に設備コストをかけることなく安価に提供できるようになる。
【００３９】
（４）平板状食品サンプルの製造方法（図８参照）
次に、上述した図６及び図７に示す本考案の成形型５１を使用して行う平板状食品サンプル１の製造方法を製造の流れにしたがって具体的に説明する。この平板状食品サンプルの製造方法は、（Ａ）元型製作工程、（Ｂ）原型製作工程、（Ｃ）成形型製作工程、（Ｄ）サンプル本体部成形工程、（Ｅ）サンプル加飾部成形工程、（Ｆ）サンプル補飾部成形工程の６つの工程を順次実行することによって構成されている。
以下、（Ａ）〜（Ｆ）の各工程に分けて、これらの工程の内容を具体的に説明する。
【００４０】
（Ａ）元型製作工程（図８（ａ）参照）
最初に、実物Ａであるレモンをスライスし、スライスしたレモンに土台６１を取り付けて型枠６３内に設置する。次に、型枠６３内に元型６５を成形するための原料Ｇを注入し、該原料Ｇの固化後、実物Ａと土台６１を取り出して元型６５を得る。
【００４１】
（Ｂ）原型製作工程（図８（ｂ）参照）
次に、上記元型製作工程で製作した元型６５に原型６７を成形するための原料Ｈを注入し、該原料Ｈの固化後、成形された原型６７を元型６５から取り出す。
尚、元型６５から取り出された原型６７には、実物Ａを模した型本体部６９と、上記土台６１によって形作られた土台部７１とが一体成形されている。
【００４２】
また、原型６７を成形するための原料Ｈとしては、固化後において硬質になる合成樹脂材料や蝋（ろう）が一例として適用できる。
また、このようにして成形された原型６７は二次加工に供され、型本体部６９の外周部の果皮の内側部分２７に相当する部分をリング状に切削して表裏両面３、５に凹陥部７３を形成する。そして、このような凹陥部７３が形成された原型６７が本工程で製作される最終形状となる。
【００４３】
（Ｃ）成形型製作工程（図８（ｃ）参照）
次に、枠型７５内に原型製作工程で製作された原型６７を設置して型枠７５内に成形型５１を成形するための液状のシリコーンＦを注入する。
シリコーンＦの注入後、常温で８時間程度放置するとシリコーンＦが固まるからシリコーンＦの固化後、原型６７を取り出せば弾性力を有するシリコーンゴム製の成形型５１が得られる。
【００４４】
（Ｄ）サンプル本体部成形工程（図８（ｄ）参照）
次に、成形型製作工程で製作した成形型５１を成形凹部５３の注ぎ口５５を上にして立てた状態にする。そして、ポリ塩化ビニル等の熱可塑性樹脂にレモンの果肉２５の色である第１彩色１１の顔料を添加した原料Ｂを上記注ぎ口５５から注入する。
上記原料Ｂの注入後、成形型５１を図示しないオーブンガマに入れて約１６０℃で１５分間程度加熱して固化させる。更に、成形されたサンプル本体部１３から土台部７９を切り離し、凹陥部１５の表面を削ってバリを取れば本工程で成形されるサンプル本体部１３の最終形状となる。
【００４５】
（Ｅ）サンプル加飾部成形工程（図８（ｅ）参照）
次に、上記サンプル本体部成形工程で成形されたサンプル本体部１３の表裏両面３、５の外周部に形成されている凹陥部１５に対して片側ずつレモンの果皮の内側部分２７の色である第２彩色１７の白色の顔料をポリ塩化ビニル等の熱可塑性樹脂に添加した原料Ｃを充填して加熱固化すればサンプル加飾部１９が成形される。
尚、上記サンプル加飾部１９は、上記凹陥部１５を埋める形で設けられているため、果肉２５部分と果皮の内側部分２７との間に目立った段差は発生していない。
【００４６】
（Ｆ）サンプル補飾部成形工程（図８（ｆ）参照）
次に、レモンの隔壁２９と果肉２５の中心部３３の色である第３彩色２１の一部を構成する白色の顔料系インク等を使用して、直接、サンプル本体部１３の表裏両面３、５に隔壁２９を表す筋状の線を放射状に入れ、その中心に顔料系インク等を塗り足して中心部３３を描けば、サンプル補飾部２３の一部２３ａが形成される。
また、レモンの果皮の外側部分３１の色である第３彩色２１の他の一部を構成する濃いめの黄色の顔料系インク等をサンプル本体部１３とサンプル加飾部１９の外周面に塗って果皮の外側部分３１を描けば、サンプル補飾部２３の他の一部２３ｂが形成される。
そして、バリ等を除去してゴミや汚れ等を取り除けば所定の装飾表現が施された最終的な形状の平板状食品サンプル１が得られる。
【００４７】
尚、本考案の平板状食品サンプル１、平板状食品サンプルを使用したアクセサリー４１及び平板状食品サンプルの成形型５１は、上述した実施の形態のものに限定されず、その考案の要旨内での変更が可能である。
例えば本考案の平板状食品サンプル１のモチーフとしては、スライスしたレモンに限らず、スライスしたオレンジ、グレープフルーツ等の柑橘類やキウイフルーツ、イチゴ等の他のフルーツやチョコレート、ビスケット等の菓子類あるいはキュウリ、トマト、とうもろこし等の野菜等であってもよい。また、第３彩色２１と同様、第１彩色１１と第２彩色１７は複数色あってもよく、複数の凹陥部１５を形成して果肉の内側部分２７と果肉２５中の種等を表現することも可能である。
【００４８】
更に、本考案の平板状食品サンプル１は、上記図１〜図４に示す実施の形態のようにサンプル本体部１３とサンプル加飾部１９とサンプル補飾部２３のすべてを備える構成に限らず、図９に示すようにサンプル本体部１３とサンプル加飾部１９のみから構成されるものであってもよい。
まず、図９（ａ）に示すように第１彩色１１として薄い黄色の顔料が添加された原料Ｂ２を使用してレモンの果肉２５の部分を上記果皮の外側部分３１と一体に成形する。
【００４９】
次に、図９（ｂ）（ｃ）に示すようにレモンの果皮の外側部分３１を所定の深さ切除して凹陥部（切欠き）１５を形成し、上記サンプル本体部１３の果皮の内側部分２７、隔壁２９及び中心部３３を所定の深さ切削して凹陥部１５を形成する。尚、隔壁２９及び中心部３３については、レモンの果肉２５の部分の成形時に同時に形成される線や面を利用して形成することもできる。
そして、形成した凹陥部１５に対して濃い黄色の顔料が添加された原料Ｃを肉盛りする。これは、レモンの果皮を表現するために、原料に粒子を混入してざらざら感を出すようにすることも可能である。また、テープ状の濃い黄色の顔料が添加された原料Ｃを貼り付ける等の方法を採用することも可能である。
また、形成した上記凹陥部１５に対して白色の顔料が添加された原料Ｃを充填し、固化させれば、図９（ｄ）（ｅ）に示すようにサンプル加飾部１９が形成されてサンプル本体部１３とサンプル加飾部１９のみからなる平板状食品サンプル１が成形される。
尚、図９（ｂ）と図９（ｄ）は隔壁２９を通らない位置の側断面図、図９（ｃ）と図９（ｅ）は隔壁２９を通る位置の側断面図をそれぞれ示している。
【００５０】
また、サンプル補飾部２３の形成にあたっては、顔料系インク等を使用して手書きで描く他、ピアゾ方式のインクジェットプリンタ等を使用して印刷したり、予めフィルム等に印刷しておいたものを所定の形状にカットし、所定部位に貼り付けることによってサンプル補飾部２３を形成することも可能である。
また、本考案の平板状食品サンプルを使用したアクセサリー４１としては、平板状食品サンプル１を１つのみ使用する他、平板状食品サンプル１を複数使用することも可能である。この場合、同一種類の平板状食品サンプル１を複数使用する他、サイズやモチーフを変えた複数の平板状食品サンプル１を組み合わせて使用することが可能である。
【００５１】
また、本考案の平板状食品サンプルの成形型５１としては、１つの成形型５１に対して成形凹部５３を１つのみ設ける他、同一形状、同一のサイズの成形凹部５３を複数設けたり、異なる形状や異なるサイズの成形凹部５３を組み合わせて複数設けることが可能である。
この他、サンプル本体部１３を成形するための原料Ｂ、サンプル加飾部１９を成形するための原料Ｃ、原型６７を成形するための原料Ｈ、成形型５１を成形するための原料は、上述した成分のものに限らず同様の性状あるいは、更に優れた性状を有する種々の原料を使用することが可能である。
【産業上の利用可能性】
【００５２】
本考案の平板状食品サンプル、平板状食品サンプルを使用したアクセサリー及び平板状食品サンプルの成形型は、平板状食品サンプルやアクセサリーの製造、使用分野等で利用でき、特に表裏両面に実物を模した装飾加工が施され、商品価値が高く安価で成形が容易な平板状食品サンプル及び該平板状食品サンプルを使用したアクセサリーを提供したい場合に利用可能性を有する。
【符号の説明】
【００５３】
１  平板状食品サンプル
３  表面
５  裏面
７  装飾加工
９  凹凸加工
１１  第１彩色
１３  サンプル本体部
１５  凹陥部
１７  第２彩色
１９  サンプル加飾部
２１  第３彩色
２３  サンプル補飾部
２３ａ  一部
２３ｂ  他の一部
２５  果肉
２７  果皮の内側部分
２９  隔壁
３１  果皮の外側部分
３３  中心部
３５  パフェ
４１  アクセサリー
４３  取付け金具
４３ａ  リング状の部材
４３ｂ  連結具
４３ｃ  スリーブ状の部材
４５  ストラップ
４７  金具類
５１  成形型
５３  成形凹部
５５  注ぎ口
５７  凸部
６１  土台
６３  型枠
６５  元型
６７  原型
６９  型本体部
７１  土台部
７３  凹陥部
７５  型枠
７９  土台部
Ａ  実物
Ｂ  原料
Ｃ  原料
Ｅ  耳
Ｆ  シリコーン
Ｇ  原料
Ｈ  原料
【図１】
0003187028.tif 000003
【図２】
0003187028.tif 000004
【図３】
0003187028.tif 000005
【図４】
0003187028.tif 000006
【図５】
0003187028.tif 000007
【図６】
0003187028.tif 000008
【図７】
0003187028.tif 000009
【図８】
0003187028.tif 000010
【図９】
0003187028.tif 000011